(57)【特許請求の範囲】
【請求項１】
腕時計ケース（２０１）、この腕時計ケース内の時計ムーブメント（２０５）及び文字盤（２０４）を備えた腕時計であって、
前記文字盤の上方の三次元模型（２０）；
前記文字盤（２０４）の上方であって前記文字盤に対して垂直な方向に延在し、前記文字盤に対して非平行な平面内での前記三次元模型の少なくとも一部分の動作を生成できるように設けられた少なくとも１つのシャフト（２１ａ）；
前記シャフトの動作を制御するために、前記文字盤の下方で前記模型を駆動するためのデバイス（１）であって、前記模型を駆動する前記デバイスは、前記シャフト（２１ａ）を駆動する少なくとも第１のカム（３）を備えた第１の香箱（５）を含むこと
を特徴とする、腕時計。
【請求項２】
前記三次元模型（２０）は、この三次元模型の残りの部分に対して可動である少なくとも１つの部分を備え；
前記シャフト（２１ａ）は、前記可動部分の動作を制御する
ことを特徴とする、請求項１に記載の腕時計。
【請求項３】
前記三次元模型を前記文字盤に対して平行な平面内で動作するように設けられ、前記文字盤（２０４）の上方であって前記文字盤に対して垂直な方向に延在する前記少なくとも１つのシャフト（２１）を特徴とする、請求項１に記載の腕時計。
【請求項４】
前記模型の１つ若しくは複数の部分を互いに独立して及び／又は模型全体を動作させるよう設けられ、前記文字盤（２０４）の上方であって前記文字盤に対して垂直な方向に延在する複数の同軸の前記シャフト（２１、２１ａ）を特徴とする、請求項３に記載の腕時計。
【請求項５】
前記模型（２０）は、機械式の鳥で形成されていることを特徴とする、請求項１〜４のいずれか１項に記載の腕時計。
【請求項６】
前記機械式の鳥（２０）の嘴及び／又は羽及び／又は尾は、前記鳥の本体に対して可動であることを特徴とする、請求項５に記載の腕時計。
【請求項７】
前記機械式の鳥（２０）の前記本体は中空であり、１つ又は複数の前記シャフト（２１、２１ａ）の動作に応じて前記鳥の嘴及び／又は羽及び／又は尾を動作させるための機構を収容していることを特徴とする、請求項６に記載の腕時計。
【請求項８】
前記文字盤（２０４）に対して非平行な平面内での前記模型（２０）の一部分の動作を引き起こす前記シャフト（２１ａ）は前記文字盤（２０４）に垂直な第１のレバー（２１ａ）である、請求項１〜７のいずれか１項に記載の腕時計。
【請求項９】
前記文字盤（２０４）に平行な面内で前記模型（２０）に回転を起こし、前記文字盤（２０４）に垂直な第２のレバー（２１）を駆動する第２のカム（６ａ）を含む、請求項１〜８に記載の腕時計。
【請求項１０】
前記第２のレバー（２１ａ）は、この第１のレバー（２１ａ）の長手方向軸に沿った並進運動を実施することによって動作するよう制御される、請求項８に記載の腕時計。
【請求項１１】
前記時計ムーブメント（２０５）と前記模型（２０）を駆動するための前記デバイス（１）とは、互いに独立していることを特徴とする、請求項１〜１０のいずれか１項に記載の腕時計。
【請求項１２】
前記時計ムーブメント（２０５）は第２の香箱を備えていること
を特徴とする、請求項１１に記載の腕時計。
【請求項１３】
前記模型（２０）を駆動するための前記デバイス（１）は第１の調節部材（１７）を備えていること、及び
前記時計ムーブメント（２０５）は第２の調節部材を備えていること
を特徴とする、請求項１〜１１のいずれか１項に記載の腕時計。
【請求項１４】
前記時計ムーブメント（２０５）は、前記模型（２０）を駆動するための前記デバイス（１）を駆動することを特徴とする、請求項１〜１３のいずれか１項に記載の腕時計。
【請求項１５】
前記模型（２０）を駆動するための前記デバイス（１）は、鳥の鳴き声を模倣するように設けたホイッスルを備えていることを特徴とする、請求項１〜１４のいずれか１項に記載の腕時計。
【請求項１６】
前記機械式の鳥（２０）の嘴と、前記ホイッスルとに同時に作用して、前記嘴の開閉と、前記嘴の動作に同期されたホイッスル音とを生成する前記第１のカム（３）を備えている、請求項１５に記載の腕時計。
【請求項１７】
前記腕時計は、前記文字盤（２０４）及び前記模型（２０）の上方に風防を備え、
前記風防の第１の部分（２０６）は前記文字盤（２０４）を覆い、
前記風防の第２の部分（２０３）は前記模型（２０）を覆い、
前記第２の部分は前記第１の部分よりも湾曲しており、
前記２つの部分（２０３、２０６）は互いに対して溶着又は接着されている
ことを特徴とする、請求項１〜１６のいずれか１項に記載の腕時計。
【発明の詳細な説明】
【技術分野】
【０００１】
本発明は、文字盤の上方にアニメーションを備えた腕時計に関する。
【背景技術】
【０００２】
鳴鳥は特にカッコウ時計又は嗅ぎたばこ入れにおいて公知である。カッコウ時計のコンセプトは、１７３８年頃にシュヴァルツヴァルト地方において創造されている。このような時計は、伝統的には錘によって動く視認可能なバランスと、山小屋の形態の装飾されたケースとを有する。山小屋の扉は１時間毎又は３０分毎に開き、機械式の鳥が鳥の巣から現れて鳴く。最近では、カッコウ時計は大抵、クオーツムーブメント及び電子時報機構を備えている。
【０００３】
１９１１年に付与された特許文献１は、時計の正面に配設された模型をカッコウの各鳴き声の直後に作動させる機構からなる既存のカッコウ時計に対する革新的な技術を記載している。
【０００４】
特許文献２は、様々な音で構成される旋律を鳴らすこと、及び嘴若しくは尾等の１つ又は複数の部分を同時に動かすことが可能なカッコウを備えた置き時計を記載している。空気はふいごによってホイッスルに注入できる。
【０００５】
特許文献３は、蓋を備えたケース内に位置決めされた機械式の鳴鳥を備えた嗅ぎたばこ入れを記載している。鳥は、ばねキャッチで制御されるばね機構の作用下で、可動かつ横たわった状態の静止位置から垂直の鳴き位置へと移動できる。機構を起動することにより、蓋の開放と同時に鳴き位置に鳥が現れ、続いて鳥が鳴き、最後に鳴くのをやめ、鳥は横たわった状態の静止位置へと戻り、蓋を閉じて機構自体を停止させることを有する動作サイクルが自動的に生成されている。
【０００６】
カッコウ時計及び上述の他のデバイスは、極めて大きな空間要件を有し、従って持ち運びが困難である。
【０００７】
また、時間表示に重ねて配置された様々な表示を有する腕時計の文字盤においてアニメーションを動かすために、様々な試みがなされてきた。
【０００８】
従って特許文献４は、文字盤の上方に、腕時計ムーブメントによって振動が引き起こされる二次元の鍛冶屋を有する懐中時計を記載している。
【０００９】
特許文献５は、窓の後ろに位置決めされる鳥を備えた腕時計又は懐中時計を記載しており、ここでは、所定の時間に窓が開くと同時にカッコウの鳴き声が発せられ、その後窓は再び閉まる。
【００１０】
文字盤の前又は後ろにあるこのような二次元の可動部品は、視認性の低いアニメーションを生成する。他の時間表示のための空間を設けることができるように、文字盤の上方又は下方の動く要素のサイズは必然的に制限されなければならない。文字盤の真上にいないユーザは、腕時計の装着者のためだけに設計されたアニメーションを、全く見ない可能性がある。
【００１１】
更に、このような二次元の可動部品は、文字盤の上方又は下方で、文字盤に対して平行な平面内で動作する。このような動作は、文字盤に対して垂直な位置にいない者には十分に視認できない。その上、この動作は文字盤の上方又は下方の表面領域のかなりの部分に及び、文字盤を腕時計の他の表示のために使用できない。
【００１２】
従って、例えば１時間の経過、アラーム時間等の特定のイベントを示すために、又は単に更に見やすい様式で見たいというユーザの願望のために、腕時計の装着者や腕時計の装着者の間近にいる他の人々でさえも見逃すことができない、より見やすいアニメーションを文字盤の上方に有する腕時計が望まれている。  
【先行技術文献】
【特許文献】
【００１３】
【特許文献１】スイス特許第５５４０３号
【特許文献２】米国特許第２５０４８１１号
【特許文献３】スイス特許６６８８４６号
【特許文献４】スイス特許第３２１７１号
【特許文献５】独国実用新案第２０３１０００７  Ｕ１号
【発明の概要】
【発明が解決しようとする課題】
【００１４】
従って本発明の目的は、公知のアニメーションよりも明確に視認できるアニメーションを文字盤の上方に有する腕時計を提案することである。
【課題を解決するための手段】
【００１５】
本発明によると、この目的は特に、請求項において請求される特徴を有する腕時計によって達成される。
【００１６】
一態様によると、この腕時計は：
腕時計ケース；
上記腕時計ケース内の時計ムーブメント；
文字盤；
上記文字盤の上方の三次元模型；
上記文字盤の上方で文字盤に対して垂直な方向に延在し、文字盤に対して非平行な平面内での上記三次元模型の少なくとも一部分の動作を生成できるよう配設されたシャフト；
上記シャフトの動作を制御するために、上記文字盤の下方で模型を駆動するためのデバイス
を備える。
【００１７】
この腕時計は、２次元の物体よりも明確に視認できる３次元模型を文字盤の上方に有するという利点を有する。
【００１８】
本出願において、用語「模型」はヒト及び動物の両方を包含する。
【００１９】
腕時計内の三次元の動く模型は、はるかに大きいデバイスにおいて公知であるこのような模型が腕時計内にあることは全く予想外であるため、見る者を驚かせる効果をもたらす。
【００２０】
この腕時計は更に、文字盤に対して非平行な平面内でこの模型又はこの模型の少なくとも一部分を動作させることにより、この模型又はこの模型の少なくとも一部分を動かすという利点を有する。この動作は、文字盤に対して平行な動作よりも明確に視認でき、更に、文字盤の表面領域の占有量が有意に少なく、これにより文字盤の表面領域を他のインジケータのために利用できる。
【００２１】
模型及び／又は模型の一部分の動作は、文字盤に対して非平行な、少なくとも１つの並進運動成分を含むことができる。
【００２２】
模型及び／又は模型の一部分の動作は、文字盤に対して非垂直な軸の周りでの、少なくとも１つの回転運動成分を有する。
【００２３】
三次元模型は、模型の残りの部分に対して可動である１つの部分を有する。文字盤に対して垂直なシャフトは、この可動部分の動作を制御できる。
【００２４】
文字盤に対して非平行な平面内でのこのような動作に加えて、模型又はこの模型の少なくとも一部分は、例えば回転運動及び／又は並進運動である追加の動作を、文字盤に対して平行な平面内で実施できる。これにより、文字盤に対して平行な上記動作が小さいものであっても、アニメーションをより一層明確に視認できるようになる。
【００２５】
模型の異なる部分が、異なる非平行平面内で動作できる。模型の複数の部分が非平面動作を実施できる。
【００２６】
腕時計は、文字盤の上方で文字盤に対して垂直な方向に延在し、模型の１つ若しくは複数の部分を互いに独立して及び／又は模型全体を動作させるように配設される複数の同軸のシャフトを備える。例えば、１つのシャフトは模型全体の動作を制御できる。別のシャフトは模型の一部分の動作を制御できる。第３のシャフトを設けて模型の第３の部分の動作を制御できる。
【００２７】
模型は機械式の鳥の形態であってもよい。この機械式の鳥の嘴及び／又は羽及び／又は尾を、鳥の本体に対して可動とすることができる。鳥の本体を文字盤に対して可動とすることができる。この機械式の鳥の嘴及び／又は羽及び／又は尾を、文字盤に対して非平行な平面内で可動とすることができる。鳥の本体を、文字盤に対して平行な平面内で可動とすることができる。
【００２８】
ある実施形態では、機械式の鳥の本体は、文字盤に対して垂直な軸の周りで自転し、一方で頭、尾及び羽は、文字盤に対して非垂直な複数の軸の周りで回転する。
【００２９】
例えば鳥である模型の本体は中空であってもよく、１つ又は複数のシャフトの動作に応じて模型の複数の部分を動作させるための（例えば上記鳥の嘴及び／又は羽及び／又は尾を動作させるための）機構を収容できる。
【００３０】
時計ムーブメントと模型を駆動するためのデバイスとは、互いに独立していてもよい。
【００３１】
模型を駆動するためのデバイスは第１の香箱を備え、時計ムーブメントは第２の香箱を備えることができる。２つの香箱は、互いに独立して巻くことができる。
【００３２】
模型を駆動するためのデバイスは、第１の制御部材を備える。時計ムーブメントは第２の制御部材を備える。２つの制御部材は、互いに独立していてもよい。第２の制御部材の精度は、第１の制御部材の精度よりも著しく高い。第１の制御部材は、模型の動作を制動するための単純なブレーキ又は慣性ブロックデバイスで形成できる。第２の制御部材は、ゼンマイ‐テンプ組立体で形成できる。
【００３３】
ある変形例では、時計ムーブメントは、模型を駆動するためのデバイスを駆動できる。時計ムーブメントは、この駆動動作に必要なエネルギを供給できる。時計ムーブメントは、模型の駆動が開始されることになるモーメントを決定できる。時計ムーブメントは、模型の動作の速度を調節できる。
【００３４】
模型を駆動するためのデバイスは、鳥の鳴き声を模倣するよう構成されたホイッスルを備えさせることができる。
【００３５】
腕時計は、文字盤及び模型の上方に風防を備え、この風防の第１の部分は文字盤を覆い、この風防の第２の部分は模型を覆う。第２の部分は第１の部分よりも湾曲している。これら２つの部分は、互いに対して溶着又は接着できる。
【００３６】
本発明の例示的な実施形態を、添付の図面によって例示される以下の記載において示す。
【図面の簡単な説明】
【００３７】
【図１】図１は、本発明による腕時計の断面図である。
【図２】図２は、本発明による模型を駆動するためのデバイスの一部を示す概略図である。
【発明を実施するための形態】
【００３８】
図１は、本発明のある実施形態による模型２０を駆動するためのデバイス１を備えた腕時計ケース２００を示す。腕時計ケースは中央部分２０１、裏蓋２０２、及び互いに接着又は接合された２つの部分からなる風防２０３、２０６を備えている。ここで２つの部分のうちの一方２０６は時間表示を有する文字盤２０４を覆い、風防の最も湾曲した部分２０３は模型２０を保護する。模型２０は、前記文字盤２０４の上方で文字盤に対して垂直に延在し、レバー又はシャフト２１によって回転駆動する。
【００３９】
要素２０５は腕時計ムーブメントであり、この実施形態では、この腕時計ムーブメントは独立しており、模型を駆動するためのデバイス１と協働しない。腕時計ムーブメント２０５は機械式であってもよい。この実施形態では、模型２０を駆動するためのデバイス１は、腕時計ケース内においてムーブメント２０５が占める空間の側部及び下部の空間を占める。ムーブメント２０５はケースに対して偏心しており、ムーブメントの針（図示せず）は模型２０の側部で動作するため、模型２０はこれら針を覆わない。
【００４０】
しかしながら、腕時計ムーブメントと同じ地板上、又はこのムーブメントと協働する補助的モジュール上にある図２の駆動デバイス１も考えられる。
【００４１】
本出願における用語「文字盤」は広い意味に解釈しなければならない。これは別個の部分、例えばエナメル部分、真珠層部分等であってもよく、又はスケルトン腕時計の場合、例えばその上方で腕時計の針が動作するムーブメントの上面であってもよい。一般に、文字盤は背景として定義でき、この文字盤の前で針及び／又は動く模型が動作する。文字盤の平面は文字盤の上面の平面であり、非平面表面の場合、文字盤の平面は針の動作平面に対して平行である。
【００４２】
この実施形態では、模型２０は三次元の機械式の鳥で形成され、これは文字盤２０４の上方に突出するように延在している。模型２０は、例えば貴金属である金属材料、セラミック又は他のいずれかの適切な材料で作製できる。模型２０は、モールディング、機械加工又は材料の複数のシートを用いたフォールディングによって製造できる。模型２０は、羽毛を備えることができる。
【００４３】
模型２０を駆動するためのデバイス１は、模型２０を駆動して動作させるために、文字盤２０４に対して垂直に文字盤２０４を通過するシャフト２１を備える。複数のシャフト２１、２１ａを同心円状に配設して、鳥の本体並びにこの鳥の１つ又は複数の部分（例えば尾、嘴及び／若しくは羽）を独立して駆動できる。複数の独立したシャフトによって、これらの部分を互いに独立して作動させることもできる。ある実施形態では、中空外側シャフト２１は、文字盤に対して平行な平面内で、鳥全体をこのシャフトの周りで回転させることができ、上記シャフトの内側にあるシャフト２１ａは、この鳥の一部分を鳥の本体に対して動作させることができる。１つ又は複数のシャフト２１、２１ａは、デバイス１によって回転駆動させられ、及び／又は長手方向並進運動を実施するよう駆動させられる。ある実施形態では、外側シャフト２１は、その長手方向軸の周りでの回転運動を実施し、鳥の複数の部分を制御するシャフト２１ａは、シャフト２１の内側にある同じ長手方向軸に沿って前後に並進運動する。３本以上の偏心シャフトを使用できる。単一のシャフトの独立した動作によって、鳥の複数の部分を独立して制御できる。
【００４４】
模型２０は中空であってもよい。模型２０は、シャフト２１、２１ａの動作に応じた模型の複数の部分の動作を制御するための機構の一部を収容する。例えば模型２０は、シャフト２１ａの動作に応じて鳥の頭、嘴、羽及び／又は尾を操作するための機構を収容できる。模型２０内の機構は、カム並びに／又は鳥の本体に対して嘴、羽及び尾を同時に動作させるためにシャフト２１ａの圧力下でばねの力に対抗する部品を備える。複数の部品を鳥の内部に設けて、この模型の異なる部分を互いに独立して動作させることができる。
【００４５】
別の実施形態では、シャフト２１ａのヘッドはカムを備え、このシャフト２１ａが鳥の本体に対して９０°回転した場合に羽を広げることができるか、又は別の角度で回転した場合に鳥の別の部分を動作させることができる。
【００４６】
模型２０の動作は、例えば文字盤２０４に対して及び針の動作平面に対して平行な平面内におけるシャフト２１の周りでの模型全体の回転を有することができる。模型２０は、例えば複数回の自転を行わせることができる。往復回転運動を実施するため、及び鳥の回転方向を転換するために、ラックを用いてシャフト２１を制御することもできる。
【００４７】
また、模型全体を文字盤２０４に対して非平行な平面内で、又は文字盤２０４に対して非平行な方向に動作させることができ、これによって、例えば水平軸の周りで枢動させることにより、及び／又は開放シャッタを通して登場させることにより、例えば模型を文字盤から出すことができる。例えば羽、嘴、尾等の模型の複数の部分は、例えば文字盤２０４に対して非平行な軸の周りでこの模型の本体に対して回転することにより、模型の本体に対して動作できる。
【００４８】
図２は、シャフト２１又はシャフト２１、２１ａを用いた模型２０を駆動するためのデバイス１の一部の例を示す。このデバイスは、運動学的機構１０のカナ１００と噛合する外側歯部６が取り付けられた香箱５を備えている。カナ１００は、歯車１０３の軸上の四番カナ１０２を駆動する歯車１０１の軸上に設けられている。例えば２秒に１回転する香箱５と、例えば毎秒１０回転する歯車１０３との間のギヤ比は有利には、１／５〜１／５０の範囲、例えば１／２０である。この速度比は、運動学的機構１０における異なる数の歯車及びカナ（同時に「歯車」と呼ばれる）によっても得ることができる。
【００４９】
香箱５は、カム３、６ａ、６ｂ（例えば香箱５の周縁部に設置される複数のカム）も備え、これにより模型２０を動かす及び／又は様々な他の機構（例えばホイッスル機構の要素）を作動させる。歯車１０３は、偏心器１６又はロッド（図示せず）を作動させることができるカムを備え、これによってホイッスルに注入される空気を生成するポンプのピストンを動作させる。
【００５０】
運動学的機構１０は、更にここでは歯車１０３の下流の歯車１０１ｂのうちの１つの上にある慣性ブロックで形成される調節部材１７を備えている。この慣性ブロック１７は、歯車１０１ｂが回転を開始すると、歯車１０１ｂの回転の中心から離れ、これにより歯車１０１ｂの慣性モーメントを増大させ、歯車１０１ｂの速度及び運動学的機構１０全体の速度を減速させて制御する傾向がある。ゼンマイ‐テンプ、ブレーキ等に基づいた機構を有する他の調節機構も使用できる。
【００５１】
接続要素２１、２１ａを用いて、運動学的機構１０の歯車のうちの１つ又は複数（例えばカム３、６ａ）を関節式模型２０（例えば文字盤に対して垂直である機械式の鳥又は他の動く模型）に接続することにより、運動学的機構１０が回転する際にこの歯車を作動させる。
【００５２】
カム３は、更に鳥の鳴き声を模倣するための副次的機構（例えばホイッスルの上流のバルブ）を作動させることができる。カム６ｂは、ホイッスル内でピストンを動作させることができ、これにより生成される音を変調できる。
【００５３】
カム６ａはレバー（又はシャフト）２１を制御して、文字盤２０４に対して垂直であり模型２０を通過する軸の周りでの模型２０の自転を制御する。この模型の回転運動を交互のものとすることにより、ラック機構（図示せず）を用いて、一連の往復運動や、ある方向の及びこれに続く別方向の回転を生成する。シャフト２１は有利には、文字盤２０４を文字盤に対して垂直に通過する。
【００５４】
カム３は、更にシャフト２１を通して長手方向開口に入るレバー（又はシャフト、アーバ）２１ａを制御する。レバー２１ａは、有利にはカム３の作用下でその長手方向軸に沿って並進運動し、これによって鳥２０の嘴、羽及び／又は尾の鳥の本体に対する動作を制御する。有利にはレバー２１ａの端部は、ばね（図示せず）の力に対抗して、レバーを鳥の本体から引き出すか又は鳥の本体内へ押し込むことにより、嘴、羽及び尾の位置に同時に作用して、嘴、羽及び尾それぞれを文字盤に対して非垂直な軸の周りで枢動させることができる。
【００５５】
ある変形例では、シャフト２１ａは回転シャフトであり、カム又はロッドを通して模型２０の可動部分に作用する。
【００５６】
模型２０の様々な部分を独立して作動させるために、例えば尾又は嘴とは独立して羽を動作させるために、異なるシャフト又はレバーを設けることができる。異なるシャフト又はレバーは同心であってもよい。
【００５７】
従って、模型２０の制御を可能とする１つ又は複数のシャフト２１、２１ａは、運動学的機構の歯車のうちの１つによって作動させられる。異なるシャフト２１、２１ａを、異なる歯車によって異なる速度で駆動できる。シャフトの回転速度は、例えばカム、マルタクロス歯車等の影響下で、不規則なものとすることができる。また、１つ又は複数のシャフト２１、２１ａを並進駆動することもできる。
【００５８】
上述のホイッスルは、模型２０と同一の運動学的機構１０上のカムによって、例えば鳥の嘴を制御するためにシャフト２１ａにも作用するカムと同一のカム３によって、操作できる。よって嘴を開ける動作は、ホイッスルが発する音と完璧に同期される。
【００５９】
ホイッスル機構は、鳴らされる音の高さを変調するためのピストンを備えることができる。ホイッスル機構は、運動的機構１０によって操作されるホイッスルに空気を送り込む第２のピストンを設けることができる。
【００６０】
本発明によるデバイスは、例えばプッシュボタン、レバー等のアクチュエータを備えることができ、ユーザはこれを手動で操作して香箱５を解放し、模型２０の動作を手動で起動できる。アクチュエータ（図示せず）の操作によって、香箱を解放でき、続いて模型のアニメーションを動作させることができる。同一のアクチュエータ又は異なるアクチュエータを更に使用して香箱５を再び巻くことができる。
【００６１】
ある変形例では、例えば１時間、３０分又は１５分でさえある時間の経過時に、自動でアニメーションを起動できる。例えば腕時計の機能、特にアラーム、日付機能等を用いてプログラムされた様式で、アニメーションを起動することもできる。
【００６２】
本発明を機械式腕時計に関して説明したが、本発明は電子機械式腕時計又は電子腕時計にも適用できる。
【００６３】
本発明を腕時計に関して説明したが、本発明は、上述の特徴を組み合わせて又は互いに独立して取り入れた、小さい寸法の他のデバイスにも適用できる。
【図１】
0006010698.tif 000002
【図２】
0006010698.tif 000003